(57)【要約】【課題】腐食や金属疲労に伴う落下を防止する防止機能をさらに向上させることができる照明器具を提供する。【解決手段】照明器具１０は、被固定部２１に固定される器具本体１１と、器具本体１１に収容されるランプ１２と、を備え、器具本体１１における被固定部側と、その反対側と、を連結する落下防止用のひも状部材１５を設けた。【選択図】図１
2010170958.tif 000002
【特許請求の範囲】
【請求項１】
被固定部に固定される器具本体と、
前記器具本体に収容されるランプと、
を備えた照明器具において、
前記器具本体における被固定部側と、その反対側と、を連結する落下防止用のひも状部材を設けたことを特徴とする照明器具。
【請求項２】
前記ひも状部材は、前記器具本体の耐食性よりも優れた耐食特性を有して形成されていることを特徴とする請求項１記載の照明器具。
【請求項３】
前記ひも状部材は、少なくとも、前記器具本体内に配置される主ひも状部材と、前記被固定部内に配置される副ひも状部材と、を備え、前記主ひも状部材の前記被固定部側の連結部は前記副ひも状部材の連結部と同じ位置もしくはその近傍に設けたことを特徴とする請求項１または２記載の照明器具。
【発明の詳細な説明】
【技術分野】
【０００１】
本発明は、例えば街路灯や天井灯等の高所に取り付けられた照明器具における腐食や金属疲労に伴う落下を防止する防止機能を有する照明器具に関する。
【背景技術】
【０００２】
街路灯や天井灯等の高所に取り付けられる照明器具においては、腐食や金属疲労に伴いランプを収容した器具本体が落下する虞が懸念される。
【０００３】
このような背景に鑑み、本発明者らは、器具本体と取付ポールとの間に落下防止用のワイヤを連結した照明器具を既に提案している（例えば特許文献１参照）。
【先行技術文献】
【特許文献】
【０００４】
【特許文献１】特開２００８−０２７７８３号公報（図２、請求項１）
【発明の概要】
【発明が解決しようとする課題】
【０００５】
ところが、上記特許文献１に開示された照明器具では、直立した第１支柱から枝分かれした第２支柱の先端部に取付ポールが接続されている。そして、取付ポールの基端部に固定されたボルトと器具本体との間にワイヤが連結されている。そのため、器具本体を支持している取付ポールに加えて、取付ポールを接続している第２支柱に腐食や金属疲労を生じた場合に器具本体の落下を防止することができない。
【０００６】
本発明は、前述した課題を解決するためになされたものであり、その目的は、腐食や金属疲労に伴う落下を防止する防止機能をさらに向上させることができる照明器具を提供することにある。
【課題を解決するための手段】
【０００７】
本発明に係る照明器具は、被固定部に固定される器具本体と、前記器具本体に収容されるランプと、を備えた照明器具において、前記器具本体における被固定部側と、その反対側と、を連結する落下防止用のひも状部材を設けたことを特徴とする。
【０００８】
本発明においては、ひも状部材は、器具本体における被固定部側と被固定部の反対側とを連結する。
これにより、ひも状部材は腐食や金属疲労に伴い器具本体が外れてしまいそうになった際に、被固定部側と被固定部の反対側との連結状態を保持する。
従って、器具本体単体での落下防止機能を向上させることができる。
【０００９】
本発明に係る照明器具は、上記照明器具において、前記ひも状部材は、前記器具本体の耐食性よりも優れた耐食特性を有して形成されていることを特徴とする。
【００１０】
本発明においては、器具本体に腐食や金属疲労を生じる時期よりも十分に長い耐食特性を有する。
従って、腐食や金属疲労により器具本体が外れてしまいそうになった時にひも状部材は劣化を生じておらず、器具本体の落下を確実に防止することができる。
【００１１】
本発明に係る照明器具は、上記照明器具において、前記ひも状部材は、少なくとも、前記器具本体内に配置される主ひも状部材と、前記被固定部内に配置される副ひも状部材と、を備え、前記主ひも状部材の前記被固定部側の連結部は前記副ひも状部材の連結部と同じ位置もしくはその近傍に設けたことを特徴とする。
【００１２】
本発明においては、器具本体内に配置される主ひも状部材と被固定部内に配置される副ひも状部材とを分割して設けた。
これにより、腐食や金属疲労により器具本体が外れてしまう時の落下衝撃力を主ひも状部材と副ひも状部材とに分割して軽減することができる。
従って、それぞれのひも状部材に線径の小さい低コストなものを適用できるために、コスト面で有利にすることができる。
【００１３】
本発明においては、主ひも状部材の被固定部側の連結部を副ひも状部材の連結部と同じ位置に設けることにより、両ひも状部材を単一のひも状部材として取り扱うことができる。
従って、作業時に連結間違え等を起こすことがなくなり、コスト面で有利にすることができる。
【００１４】
本発明においては、主ひも状部材の被固定部側の連結部を副ひも状部材の連結部の近傍に設けることにより、両ひも状部材を近接した位置で連結することができる。
従って、連結作業を簡略化させることができる。
【発明の効果】
【００１５】
本発明の照明器具によれば、被固定部に固定される器具本体と、器具本体に収容されるランプと、を備え、器具本体における被固定部側と、その反対側と、を連結する落下防止用のひも状材を設けた。
これにより、腐食や金属疲労に伴う落下を防止する防止機能をさらに向上させることができるという効果を有する。
【図面の簡単な説明】
【００１６】
【図１】本発明に係る第１実施形態の照明器具の一部破断側面図
【図２】本発明に係る第２実施形態の照明器具の一部破断側面図
【図３】本発明に係る第３実施形態の照明器具の一部破断側面図
【図４】図３に示した照明器具におけるひも状材の結束部周りの外観斜視図
【発明を実施するための形態】
【００１７】
以下、本発明の複数の実施形態に係る照明器具について、図面を参照して説明する。
【００１８】
（第１実施形態）
図１に示すように、本発明の第１実施形態である照明器具１０は、器具本体１１と、器具本体１１に収容したランプ１２と、中空の支柱１３と、支柱１３の先端部に水平方向に延出した中空の水平ビーム１４と、主ひも状部材１５と、副ひも状部材１６と、を備える街路灯である。
【００１９】
器具本体１１は、成形材料である例えばアルミニウムダイカストを用いて四角錐形状に形成されており、その表面に腐食防止のための塗装が施されている。
【００２０】
器具本体１１の下方、すなわち路面側にはシェード１７が取り付けられている。シェード１７は透明や半透明の樹脂製である。シェード１７の下方開放部にはカバーを取り付けても良い。
【００２１】
器具本体１１はソケット１８を内装しており、ソケット１８にランプ１２を装着している。ソケット１８の周囲にはリフレクタ１９を配置している。
【００２２】
ソケット１８は不図示の器具配線に電気的に接続されている。器具配線は水平ビーム１４内および支柱１３内を通じて外部の点灯回路に電気的に接続されている。
【００２３】
支柱１３は、その基端部を地中に埋設しており、予め定められた高さの先端部に固定ボルト２０を介して水平ビーム１４の基端部を接続している。
【００２４】
水平ビーム１４は、その水平方向の先端部に被固定部である固定用フランジ部２１を形成している。固定用フランジ部２１は器具本体１１の四角錐の傾斜に合わせて傾斜しているために不図示の固定ボルトを介して器具本体１１を固定している。
【００２５】
主ひも状部材１５は、ワイヤロープ等の大きな荷重に耐えられるワイヤ部材であって比較的小さい線径を有する。主ひも状部材１５は器具本体１１に腐食や金属疲労を生じる時期よりも十分に長い耐食特性を有する。
【００２６】
主ひも状部材１５は、その一端部２２を被固定部の反対側に相当するシェード１７の下端部に有する第１結束部２３に結束している。主ひも状部材１５は、シェード１７の内側および器具本体１１の内側を通ってから、その他端部２４を水平ビーム１４の固定用フランジ部２１の内部に有する第２結束部２５に結束している。
【００２７】
副ひも状部材１６は、主ひも状部材１５と同様であって主ひも状部材１５とは別体のワイヤ部材である。副ひも状部材１６は、その一端部２６を器具本体１１の内部に有する第３結束部２７に結束している。副ひも状部材１６は、器具本体１１の内側および水平ビーム１４の内側を通ってから、その他端部２８を支柱１３の先端部の内部に有する第４結束部２９に結束している。
【００２８】
主ひも状部材１５および副ひも状部材１６はシェード１７、器具本体１１、水平ビーム１４、支柱１３のそれぞれの内側を通って組み付けられている。
これにより、それぞれの内部に隠れて配置されることにより、外部から直接見えずに外観性を損なうことがない。
【００２９】
主ひも状部材１５の他端部２４が結束されている水平ビーム１４の第２結束部２５と副ひも状部材１６の一端部２６が結束されている器具本体１１の第３結束部２７とは近接している。
これにより、施工を行う際に、それぞれの結束部２５，２７が近接しているために、作業がし易く、結束間違えを起こすことがない。
【００３０】
次に、照明器具１０の作用について説明する。
【００３１】
長年の使用により器具本体１１に腐食や金属疲労を生じてきた場合、比較的大きな荷重の器具本体１１における水平ビーム１４の固定用フランジ部２１部分が、その荷重に耐えられなくなる。
【００３２】
そして、万が一に、器具本体１１が水平ビーム１４の固定用フランジ部２１から外れてしまった場合、水平ビーム１４の固定用フランジ部２１内の第２結束部２５とシェード１７の下端部の第１結束部２３に結束されている主ひも状部材１５が器具本体１１の荷重を受ける。
これにより、主ひも状部材１５が器具本体１１をぶら下げて保持することにより器具本体１１の落下を防止する。
【００３３】
これとは異なり、長年の使用により水平ビーム１４に腐食や金属疲労を生じてきた場合、比較的大きな荷重の器具本体１１および水平ビーム１４を支持している支柱１３の先端部が、その荷重に耐えられなくなる。
【００３４】
そして、万が一に、水平ビーム１４が支柱１３から外れてしまった場合、器具本体１１の第３結束部２７と支柱１３の第４結束部２９に結束されている副ひも状部材１６が器具本体１１および水平ビーム１４の荷重を受ける。
これにより、副ひも状部材１６が器具本体１１および水平ビーム１４をぶら下げて保持することにより器具本体１１および水平ビーム１４の落下を防止する。
【００３５】
第１実施形態の照明器具１０では、主ひも状部材１５は、その一端部２２をシェード１７の第１結束部２３に結束し、その他端部２４を水平ビーム１４の第２結束部２５に結束している。
これにより、主ひも状部材１５は腐食や金属疲労に伴い器具本体１１が外れてしまいそうになった際に、水平ビーム１４と器具本体１１の連結状態を保持する。
従って、器具本体１１単体での落下防止機能を向上させることができる。
【００３６】
第１実施形態の照明器具１０では、主ひも状部材１５は器具本体１１に腐食や金属疲労を生じる時期よりも十分に長い耐食特性を有する。
従って、腐食や金属疲労により器具本体１１が外れてしまいそうになった時に主ひも状部材１５は劣化を生じておらず、器具本体１１の落下を確実に防止することができる。
【００３７】
第１実施形態の照明器具１０では、器具本体１１内に配置される主ひも状部材１５と水平ビーム１４内に配置される副ひも状部材１６とを分割して設けた。
これにより、腐食や金属疲労により器具本体１１が外れてしまう時の落下衝撃力を主ひも状部材１５と副ひも状部材１６とに分割して軽減することができる。
従って、それぞれのひも状部材１５，１６に線径の小さい低コストなものを適用できるために、コスト面で有利にすることができる。
【００３８】
第１実施形態の照明器具１０では、主ひも状部材１５の第２結束部２５を副ひも状部材１６の第３結束部２７の近傍に設けることにより、両ひも状部材１５，１６を近接した位置で連結することができる。
従って、連結作業を簡略化させることができる。
【００３９】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４０】
図２にも示すように、本発明の第２実施形態の照明器具３０は、器具本体３１と、器具本体３１に収容したランプ１２と、固定金具３２と、主ひも状部材３３と、副ひも状部材３４と、を備える投光器である。
【００４１】
器具本体３１は前部本体３５と後部本体３６とを一体に有する。前部本体３５は成形材料である例えばアルミニウムダイカストを用いて筒形状に形成されており、その表面に腐食防止のための塗装が施されている。
【００４２】
後部本体３６は前部本体３５と同様の材料を用いて有底の筒形状に形成されている。後部本体３６は内部にソケット１８を装備しており、ソケット１８にランプ１２を装着している。
【００４３】
固定金具３２はコ字形状に形成されている。固定金具３２は枢支軸３７を介して器具本体３１を取り付けている。そのため、器具本体３１は固定金具３２に支持されながら予め定められた範囲を回動自在である。
【００４４】
主ひも状部材３３は、その一端部３８を被固定部の反対側に相当する前部本体３５の先端部に有する第１結束部３９に結束している。主ひも状部材３３は、前部本体３５の内側および後部本体３６の内側を通ってから、その他端部４０を固定金具３２の枢支軸３７の近傍に位置する共通結束部４１に結束している。
【００４５】
副ひも状部材３４は、その一端部４２を固定金具３２の枢支軸３７の近傍に位置する共通結束部４１に結束している。副ひも状部材３４は、固定金具３２の側部を通ってから、その他端部４３を固定金具３２の固定部４４に有する第４結束部４５に結束している。
【００４６】
次に、照明器具３０の作用について説明する。
【００４７】
長年の使用により器具本体３１および固定金具３２に腐食や金属疲労を生じてきた場合、比較的大きな荷重の器具本体３１を支持している固定金具３２の枢支軸３７部分が、その荷重に耐えられなくなる。
【００４８】
そして、万が一に、器具本体３１が枢支軸３７から外れてしまった場合、固定金具３２の枢支軸３７の近傍に位置する共通結束部４１と前部本体３５の先端部の第１結束部３９とに結束されている主ひも状部材３３が器具本体３１の荷重を受ける。
これにより、主ひも状部材３３が器具本体３１を保持することにより器具本体３１の落下を防止する。
【００４９】
これとは異なり、長年の使用により器具本体３１および固定金具３２と固定部４５との固定部分に腐食や金属疲労を生じてきた場合、固定金具３２と固定部４５との固定部分が、その荷重に耐えられなくなる。
【００５０】
そして、万が一に、その荷重によって器具本体３１および固定金具３２が外れてしまった場合、固定金具３２の共通結束部４１と固定部４４の第４結束部４５とに結束されている副ひも状部材３４が器具本体３１および固定金具３２の荷重を受ける。
これにより、副ひも状部材３４が器具本体３１および固定金具３２を支持して保持することにより器具本体３１および固定金具３２の落下を防止する。
【００５１】
第２実施形態の照明器具３０は第１実施形態と同様の作用効果を奏する。特に、第２実施形態の照明器具３０では、主ひも状部材３３と副ひも状部材３４とを同じ位置の共通結束部４１で結束することにより、両ひも状部材３３，３４を単一のひも状部材として取り扱うことができる。
従って、作業時に連結間違え等を起こすことがなくなり、コスト面で有利にすることができる。
【００５２】
（第３実施形態）
次に、本発明の第３実施形態の照明器具について説明する。
【００５３】
図３にも示すように、本発明の第３実施形態の照明器具５０は、器具本体５１と、器具本体５１に収容したランプ１２と、チェーンである主ひも状部材５２と、同じくチェーンである副ひも状部材５３と、を備える天井直付照明器具である。
【００５４】
器具本体５１は、その下方にシェード５４を取り付けており、シェード５４の下方開放部にカバー５５を着脱自在に取り付けている。カバー５５はチェーン等の連結部材５６を介してシェード５４に連結されている。器具本体５１は、その上端部に天井取付部５７を有する。
【００５５】
主ひも状部材５２は、その一端部５８を被固定部の反対側に相当するシェード５４の先端部に有する第１結束部５９に結束している。主ひも状部材５２は、器具本体５１の内側を通ってから、その他端部６０を天井取付部５７に有する共通結束部６１に結束している。
【００５６】
副ひも状部材５３は、その一端部６２を天井取付部５７の共通結束部６１に結束している。副ひも状部材５３は、天井１内を通ってから、その他端部６３を天井１に形成されている第４結束部６４に結束している。
【００５７】
図４にも示すように、第４結束部６４は、天井１上にねじ孔を有して形成されたボス６５にワッシャ６６を介して副ひも状部材５３の他端部６３を挟み込んでからねじ６７をねじ込むことにより形成されている。
【００５８】
次に、照明器具５０の作用について説明する。
【００５９】
長年の使用により器具本体５１に腐食や金属疲労を生じてきた場合、比較的大きな荷重の器具本体５１を支持している天井取付部５７が、その荷重に耐えられなくなる。
【００６０】
そして、万が一に、器具本体５１が天井取付部５７から外れてしまった場合、天井取付部５７の共通結束部６１とシェード５４の先端部の第１結束部５９に結束されている主ひも状部材５２が器具本体５１の荷重を受ける。
これにより、主ひも状部材５２が器具本体５１をぶら下げて保持することにより器具本体５１の落下を防止する。
【００６１】
これとは異なり、長年の使用により器具本体５１および天井取付部５７に腐食や金属疲労を生じてきた場合、天井取付部５７と天井１との固定部分が、その荷重に耐えられなくなる。
【００６２】
そして、万が一に、その荷重によって天井取付部５７とともに器具本体５１が外れてしまった場合、天井取付部５７の共通結束部６１と天井１の第４結束部６４とに結束されている副ひも状部材５３が天井取付部５７とともに器具本体５１の荷重を受ける。
これにより、副ひも状部材５３が天井取付部５７とともに器具本体５１をぶら下げて保持することにより天井取付部５７とともに器具本体５１の落下を防止する。
【００６３】
第３実施形態の照明器具５０は第１実施形態および第２実施形態と同様の作用効果を奏する。
【００６４】
なお、前記各実施形態で使用した器具本体１１，３１，５１、シェード１７，５４等は例示したものに限定するものではなく適宜変更が可能である。
【符号の説明】
【００６５】
１  天井（被固定部）
１０、３０、５０  照明器具
１１、３１、５１  器具本体
１２  ランプ
１５、３３、５２  主ひも状部材（ひも状部材）
１６、３４、５３  副ひも状部材（ひも状部材）
２１  固定用フランジ部（被固定部）
３２  固定金具（被固定部）
【図１】
2010170958.tif 000003
【図２】
2010170958.tif 000004
【図３】
2010170958.tif 000005
【図４】
2010170958.tif 000006